(57)【要約】      （修正有）【課題】集光レンズを発光体に近接して配置することを可能とする光源装置及び投写型映像表示装置を提供する。【解決手段】投写型映像表示装置は、光源と、カラーホイール３０と、発光体３３が発光する発光光を集光するレンズを保持するレンズ保持部材２００とを備える。レンズ保持部材２００は、カラーホイール３０の回転に伴って発光体３３が通る凹部２１０を有する。【選択図】図５
2013041064.tif 000002
【特許請求の範囲】
【請求項１】
励起光を出射する光源と、回転軸を中心として回転する円盤形状の回転体とを備える光源装置であって、
前記回転体は、前記励起光に応じて発光光を発光する発光体が設けられた回転面を有しており、
前記光源装置は、前記発光体が発光する発光光を集光する集光レンズを保持するレンズ保持部材を備えており、
前記レンズ保持部材は、前記回転体の回転に伴って前記発光体が通る凹部を有することを特徴とする光源装置。
【請求項２】
前記光源から出射される光を均一化するロッドインテグレータと、
前記ロッドインテグレータを保持するロッド保持部材とをさらに備え、
前記レンズ保持部材は、前記回転体の側周の一部に沿って設けられる壁体を有しており、
前記壁体は、前記ロッド保持部材に接することを特徴とする請求項１に記載の光源装置。
【請求項３】
励起光を出射する光源と、回転軸を中心として回転する円盤形状の回転体とを備える光源装置であって、
前記回転体は、前記励起光に応じて発光光を発光する発光体が設けられた回転面を有しており、
前記光源装置は、前記発光体が発光する発光光を集光する集光レンズの側周を囲むように、前記集光レンズを保持するレンズ保持部材を備えており、
前記集光レンズの厚み方向において、前記集光レンズは、前記レンズ保持部材内に埋め込まれることを特徴とする光源装置。
【請求項４】
前記集光レンズの側周には、前記集光レンズの周方向に沿って連続する環状溝が設けられており、
前記環状溝には、弾性部材によって構成される環状部材が配置されることを特徴とする請求項３に記載の光源装置。
【請求項５】
前記集光レンズの側周には、前記集光レンズの径方向の外側に突出する突起が設けられており、
前記レンズ保持部材は、前記突起を収容する溝を有することを特徴とする請求項３に記載の光源装置。
【請求項６】
請求項１又は請求項３に記載の光源装置と、前記光源装置から出射される光を投写する投写ユニットとを備えることを特徴とする投写型映像表示装置。
【発明の詳細な説明】
【技術分野】
【０００１】
本発明は、励起光を出射する光源と、回転軸を中心として回転する円盤形状の回転体とを備える光源装置及び投写型映像表示装置に関する。
【背景技術】
【０００２】
従来、光源と、光源から出射された光を変調する光変調素子と、光変調素子によって変調された光を投写面上に投写する投写ユニットとを有する投写型映像表示装置が知られている。
【０００３】
ここで、光源から出射される光を励起光として、赤成分光、緑成分光、青成分光などの基準映像光（以下、発光光）発光する発光体を有する投写型映像表示装置が提案されている（例えば、特許文献１）。具体的には、各色成分光を発光する複数種類の発光体がカラーホイールに設けられており、カラーホイールの回転によって、各色成分光が時分割で出射される。
【先行技術文献】
【特許文献】
【０００４】
【特許文献１】特開２００９−２７７５１６号公報
【発明の概要】
【発明が解決しようとする課題】
【０００５】
ところで、発光体が発光する発光光は拡散するため、発光光を集光する集光レンズが必要である。発光光の利用効率を高めるために、集光レンズは、発光体に近接して配置されることが好ましい。
【０００６】
ここで、集光レンズを配置するためには、集光レンズを保持する保持部材が必要である。一般的に、保持部材の厚みは、集光レンズの厚みよりも厚いため、集光レンズを発光体に近接して配置するためには、保持部材に工夫が必要である。
【０００７】
そこで、本発明は、上述した課題を解決するためになされたものであり、集光レンズを発光体に近接して配置することを可能とする光源装置及び投写型映像表示装置を提供することを目的とする。
【課題を解決するための手段】
【０００８】
第１の特徴に係る光源装置は、励起光を出射する光源（光源１０）と、回転軸を中心として回転する円盤形状の回転体（カラーホイール３０）とを備える。前記回転体は、前記励起光に応じて発光光を発光する発光光（発光体３３）が設けられた回転面を有する。前記光源装置は、前記発光体が発光する発光光を集光する集光レンズ（レンズ９３）を保持する保持部材（レンズ保持部材２００）を備える。前記保持部材は、前記回転体の回転に伴って前記発光体が通る凹部（凹部２１０）を有する。
【０００９】
第１の特徴において、光源装置は、前記光源から出射される光を均一化するロッドインテグレータと、前記ロッドインテグレータを保持するロッド保持部材とをさらに備える。前記レンズ保持部材は、前記回転体の側周の一部に沿って設けられる壁体を有する。前記壁体は、前記ロッド保持部材に接する。
【００１０】
第２の特徴に係る光源装置は、励起光を出射する光源と、回転軸を中心として回転する円盤形状の回転体とを備える。前記回転体は、前記励起光に応じて発光光を発光する発光体が設けられた回転面を有する。前記光源装置は、前記発光体が発光する発光光を集光する集光レンズの側周を囲むように、前記集光レンズを保持する保持部材を備える。前記集光レンズの厚み方向において、前記集光レンズは、前記保持部材内に埋め込まれる。
【００１１】
第２の特徴において、前記集光レンズの側周には、前記集光レンズの周方向に沿って連続する環状溝が設けられる。前記環状溝には、弾性部材によって構成される環状部材が配置される。
【００１２】
第２の特徴において、前記集光レンズの側周には、前記集光レンズの径方向の外側に突出する突起が設けられる。前記保持部材は、前記突起を収容する溝を有する。
【００１３】
第３の特徴に係る投写型映像表示装置は、第１の特徴又は第２の特徴に記載の光源装置と、前記光源装置から出射される光を投写する投写ユニットとを備える。
【発明の効果】
【００１４】
本発明によれば、集光レンズを発光体に近接して配置することを可能とする光源装置及び投写型映像表示装置を提供することができる。
【図面の簡単な説明】
【００１５】
【図１】図１は、第１実施形態に係る投写型映像表示装置１００を示す図である。
【図２】図２は、第１実施形態に係るロッドインテグレータ２０を示す図である。
【図３】図３は、第１実施形態に係るロッドインテグレータ２０を示す図である。
【図４】図４は、第１実施形態に係るカラーホイール３０を示す図である。
【図５】図５は、第１実施形態に係るロッドインテグレータ２０、カラーホイール３０及びレンズ９３の配置を示す斜視図である。
【図６】図６は、第１実施形態に係るロッドインテグレータ２０、カラーホイール３０及びレンズ９３の配置を示す側面図である。
【図７】図７は、変更例１に係るロッドインテグレータ２０、カラーホイール３０及びレンズ９３の配置を示す側面図である。
【図８】図８は、変更例２に係るレンズ保持構成を説明するための図である。
【図９】図９は、変更例２に係るレンズ保持構成を説明するための図である。
【図１０】図１０は、変更例２に係るレンズ保持構成を説明するための図である。
【図１１】図１１は、変更例２に係るレンズ保持構成を説明するための図である。
【図１２】図１２は、変更例３に係るレンズ保持構成を説明するための図である。
【図１３】図１３は、変更例３に係るレンズ保持構成を説明するための図である。
【図１４】図１４は、変更例３に係るレンズ保持構成を説明するための図である。
【図１５】図１５は、変更例４に係るレンズ保持構成を説明するための図である。
【発明を実施するための形態】
【００１６】
以下において、本発明の実施形態に係る光源装置及び投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る光源装置は、励起光を出射する光源と、回転軸を中心として回転する円盤形状の回転体とを備える。前記回転体は、前記励起光に応じて発光光を発光する発光体が設けられた回転面を有する。前記光源装置は、前記発光体が発光する発光光を集光する集光レンズを保持する保持部材を備える。前記保持部材は、前記回転体の回転に伴って前記発光体が通る凹部を有する。
【００１９】
実施形態では、保持部材は、回転体の回転に伴って発光体が通る凹部を有する。従って、集光レンズを発光体に近づけて配置することが可能である。
【００２０】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２１】
図１に示すように、投写型映像表示装置１００は、光源１０と、ロッドインテグレータ２０と、カラーホイール３０と、反射ミラー４０と、ロッドインテグレータ５０と、折り返しミラー６０と、ＤＭＤ７０と、投写ユニット８０とを有する。
【００２２】
光源１０は、励起光を出射する。第１実施形態では、光源１０は、青成分光Ｂを出射する。なお、青成分光Ｂは、基準映像光として用いられるとともに、赤成分光Ｒ及び緑成分光Ｇの励起光としても用いられる。光源１０は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２３】
ロッドインテグレータ２０は、励起光の光路上に設けられており、光源１０とカラーホイール３０との間に配置される。ロッドインテグレータ２０は、光源１０から出射される励起光を均一化する均一化部の一例である。
【００２４】
第１実施形態では、ロッドインテグレータ２０は、ガラスなどの透明部材の側壁によって構成される中空のロッドである。具体的には、ロッドインテグレータ２０は、図２及び図３に示すように、側壁２１と、側壁２２と、側壁２３と、側壁２４とを有する。また、ロッドインテグレータ２０は、光入射面２５と、光出射面２６とを有する。なお、図２は、ロッドインテグレータ２０の断面（図３に示すＡ−Ａ断面）を示しており、図３は、ロッドインテグレータ２０を光入射面側から見た図である
側壁２１〜側壁２４は、ガラスなどの透明部材によって構成されており、板状形状を有する。
【００２５】
側壁２１は、外側面２１Ａ及び内側面２１Ｂを有する。外側面２１Ａは、側壁２１内に導かれる光を全反射によって反射する。内側面２１Ｂには、例えば、反射膜コートが施されており、ロッドインテグレータ２０内に導かれる光を反射する。
【００２６】
側壁２２は、外側面２２Ａ及び内側面２２Ｂを有する。外側面２２Ａは、側壁２２内に導かれる光を全反射によって反射する。内側面２２Ｂには、例えば、反射膜コートが施されており、ロッドインテグレータ２０内に導かれる光を反射する。
【００２７】
側壁２３は、外側面２３Ａ及び内側面２３Ｂを有する。外側面２３Ａは、側壁２３内に導かれる光を全反射によって反射する。内側面２３Ｂには、例えば、反射膜コートが施されており、ロッドインテグレータ２０内に導かれる光を反射する。
【００２８】
側壁２４は、外側面２４Ａ及び内側面２４Ｂを有する。外側面２４Ａは、側壁２４内に導かれる光を全反射によって反射する。内側面２４Ｂには、例えば、反射膜コートが施されており、ロッドインテグレータ２０内に導かれる光を反射する。
【００２９】
光入射面２５は、ロッドインテグレータ２０に光が入射する面である。光入射面２５は、例えば、側壁２１（内側面２１Ｂ）〜側壁２４（内側面２４Ｂ）によって囲まれる領域である。
【００３０】
光出射面２６は、ロッドインテグレータ２０から光が出射する面である。光入射面２５は、例えば、側壁２１（内側面２１Ｂ）〜側壁２４（内側面２４Ｂ）によって囲まれる領域である。
【００３１】
ここで、光出射面２６の面積は、光入射面２５の面積よりも小さいことが好ましい。言い換えると、ロッドインテグレータ２０は、テーパ形状を有していることが好ましい。
【００３２】
図１に戻って、カラーホイール３０は、励起光（青成分光Ｂ）の光軸に沿って延びる回転軸Ｘを中心として回転するように構成される。第１実施形態では、カラーホイール３０は、透過タイプである。
【００３３】
具体的には、図４に示すように、カラーホイール３０は、光源１０から出射される光の光軸に垂直な回転面を有する。回転面は、赤領域膜３１Ｒと、緑領域膜３１Ｇと、青領域３１Ｂと、ダイクロイックミラー膜３２とを有する。なお、図４は、カラーホイール３０を正面から見た図である。
【００３４】
赤領域膜３１Ｒは、光源１０から出射される青成分光Ｂ（励起光）に応じて赤成分光Ｒ（発光光）を発光する発光体３３Ｒ（発光体３３）を有する。発光体３３Ｒは、蛍光体或いは燐光体である。
【００３５】
赤領域膜３１Ｒは、図４に示すように、回転軸Ｘを中心とする円環領域のうち、所定の中心角度θＲを有する領域である。なお、赤領域膜３１Ｒは、カラーホイール３０の回転中において、青成分光Ｂ（励起光）が照射されるべき領域であることは勿論である。
【００３６】
緑領域膜３１Ｇは、光源１０から出射される青成分光Ｂ（励起光）に応じて緑成分光Ｇ（発光光）を発光する発光体３３Ｇ（発光体３３）を有する。発光体３３Ｇは、蛍光体或いは燐光体である。
【００３７】
緑領域膜３１Ｇは、図４に示すように、回転軸Ｘを中心とする円環領域のうち、所定の中心角度θＧを有する領域である。なお、緑領域膜３１Ｇは、カラーホイール３０の回転中において、青成分光Ｂ（励起光）が照射されるべき領域であることは勿論である。
【００３８】
青領域３１Ｂは、青成分光Ｂを透過する透明領域である。また、青領域３１Ｂは、図４に示すように、回転軸Ｘを中心として所定の中心角θＢを有する扇形状の領域である。
【００３９】
このように、カラーホイール３０の回転に伴って、赤成分光Ｒ、緑成分光Ｇ及び青成分光Ｂが時分割で出射される。
【００４０】
ダイクロイックミラー膜３２は、青成分光Ｂ（励起光）を反射し、赤成分光Ｒ及び緑成分光Ｇ（発光光）を透過する。ダイクロイックミラー膜３２は、図４に示すように、回転軸Ｘを中心として所定の中心角θＲ＋θＧを有する扇形状の領域である。言い換えると、光源１０から遠いホイール面のうち、青領域３１Ｂを除いた領域である。
【００４１】
なお、ダイクロイックミラー膜３２で反射される青成分光Ｂ（励起光）は、発光体３３Ｇ或いは発光体３３Ｒに照射され、発光光の発光に寄与することに留意すべきである。また、回転軸Ｘは、光源１０から出射される光の光軸に沿って配置されることは勿論である。
【００４２】
図１に戻って、反射ミラー４０は、カラーホイール３０から時分割で出射される赤成分光Ｒ、緑成分光Ｇ及び青成分光Ｂを反射する。
【００４３】
ロッドインテグレータ５０は、ガラスなどの透明部材によって構成される中実のロッドである。ロッドインテグレータ５０は、ロッドインテグレータ５０に入射する光を均一化する。なお、ロッドインテグレータ５０は、内壁がミラー面によって構成される中空のロッドであってもよい。
【００４４】
折り返しミラー６０は、ロッドインテグレータ５０から出射される光をＤＭＤ７０側に反射する。
【００４５】
ＤＭＤ７０は、複数の微小ミラーによって構成されており、複数の微小ミラーは可動式である。各微小ミラーは、基本的に１画素に相当する。ＤＭＤ７０は、各微小ミラーの角度を変更することによって、投写ユニット８０側に光を反射するか否かを切り替える。
【００４６】
投写ユニット８０は、ＤＭＤ７０に設けられる微小ミラーで反射された光（映像光）を投写面上に投写する。
【００４７】
なお、図１に示すように、投写型映像表示装置１００は、必要なレンズ群（レンズ９１〜レンズ９６）を有する。
【００４８】
第１実施形態では、光源装置は、少なくとも光源１０、ロッドインテグレータ２０及びカラーホイール３０によって構成される。但し、光源装置は、光源１０、ロッドインテグレータ２０及びカラーホイール３０以外にも、ロッドインテグレータ５０や折り返しミラー６０などを含んでもよい。
【００４９】
（ロッドインテグレータ、回転体及び集光レンズの配置）
以下において、第１実施形態に係るロッドインテグレータ、回転体及び集光レンズの配置について、図面を参照しながら説明する。図５は、第１実施形態に係るロッドインテグレータ２０、カラーホイール３０及びレンズ９３の配置を示す斜視図である。図６は、第１実施形態に係るロッドインテグレータ２０、カラーホイール３０及びレンズ９３の配置を示す側面図である。なお、図５では、ロッドインテグレータ２０を保持するロッド保持部材３００が省略されていることに留意すべきである。
【００５０】
図５及び図６に示すように、投写型映像表示装置１００は、レンズ保持部材２００と、ロッド保持部材３００とを有する。
【００５１】
レンズ保持部材２００は、レンズ９３を保持する部材である。レンズ保持部材２００は、例えば、光源１０から出射される光の光軸に対して垂直な板状形状を有する。詳細には、レンズ保持部材２００は、カラーホイール３０の回転に伴って発光体３３が通る凹部２１０と、カラーホイール３０の側周の一部に沿って設けられる壁体２２０とを有する。
【００５２】
凹部２１０は、回転軸Ｘを中心とする円周に沿って連続する円弧形状を有する。凹部２１０の深さは、発光体３３の厚み（例えば、０．１ｍｍ〜０．５ｍｍ）よりも大きいことが好ましい。
【００５３】
壁体２２０は、回転軸Ｘを中心とする円周に沿って連続する円弧形状を有する。壁体２２０は、例えば、凹部２１０の一部を構成する。
【００５４】
なお、第１実施形態において、レンズ９３は、発光体３３が発光する発光光を集光する集光レンズであることに留意すべきである。また、レンズ９３の厚み方向において、レンズ９３は、レンズ保持部材２００内に埋め込まれていることが好ましい。
【００５５】
ロッド保持部材３００は、ロッドインテグレータ２０を保持する部材である。詳細には、ロッド保持部材３００は、入射側保持片３１０及び出射側保持片３２０を有する。
【００５６】
入射側保持片３１０は、ロッドインテグレータ２０の光入射側の外側面を保持する。入射側保持片３１０は、例えば、光源１０から出射される光の光軸に対して垂直な板状形状を有する。
【００５７】
出射側保持片３２０は、ロッドインテグレータ２０の光出射側の外側面を保持する。出射側保持片３２０は、例えば、光源１０から出射される光の光軸に対して垂直な板状形状を有する。
【００５８】
（作用及び効果）
第1実施形態では、レンズ保持部材２００は、カラーホイール３０の回転に伴って発光体３３が通る凹部２１０を有する。従って、レンズ９３を発光体３３に近づけて配置することが可能である。
【００５９】
［変更例１］
以下において、第１実施形態の変更例１について説明する。以下においては、第１実施形態に対する相違点について主として説明する。
【００６０】
変更例１では、図７に示すように、レンズ保持部材２００は、ロッド保持部材３００に接している。詳細には、壁体２２０は、レンズ保持部材２００の側面視において、Ｌ字型形状を有しており、先端部２２１において、ロッド保持部材３００の出射側保持片３２０と接している。
【００６１】
（作用及び効果）
変更例１では、壁体２２０がロッド保持部材３００（変更例１では、出射側保持片３２０）と接している。従って、壁体２２０がスペーサの役割を果たすため、レンズ９３とロッドインテグレータ２０との位置決めが容易である。
【００６２】
［変更例２］
以下において、第１実施形態の変更例２について説明する。以下においては、第１実施形態に対する相違点について主として説明する。
【００６３】
変更例２では、図８に示すように、レンズ保持構成は、レンズ保持部材２００、環状部材４００及びレンズ９３によって構成される。
【００６４】
レンズ保持部材２００は、図９に示すように、レンズ９３を収容する開口を有しており、開口を構成する側壁には、開口の周方向に沿って連続する環状溝２５０が設けられる。
【００６５】
環状部材４００は、図１０に示すように、環状形状を有しており、ゴムなどの弾性部材によって構成される。環状部材４００は、例えば、Ｏリングなどである。
【００６６】
レンズ９３は、図１１に示すように、環状溝９３Ａを有する。環状溝９３Ａは、レンズ９３の側周に設けられており、レンズ９３の周方向に沿って連続している。
【００６７】
ここで、レンズ９３は、レンズ保持部材２００に設けられる開口内に配置される。環状部材４００は、環状溝９３Ａ及び環状溝２５０によって構成される空間に配置される。このように、レンズ９３は、レンズ保持部材２００に設けられる開口内に環状部材４００を介して配置されるため、レンズ保持部材２００に設けられる開口内に固定される。
【００６８】
これによって、レンズ９３の厚み方向において、レンズ９３は、レンズ保持部材２００内に埋め込まれる。
【００６９】
（作用及び効果）
変更例２では、レンズ９３の厚み方向において、レンズ９３は、レンズ保持部材２００内に埋め込まれるため、レンズ９３を発光体３３に近づけて配置することが可能である。また、環状溝９３Ａ及び環状溝２５０によって構成される空間に環状部材４００が配置されることによって、レンズ保持部材２００に設けられる開口内にレンズ９３が強固に固定される。
【００７０】
［変更例３］
以下において、第１実施形態の変更例３について説明する。以下においては、第１実施形態に対する相違点について主として説明する。
【００７１】
変更例３では、図１２に示すように、レンズ保持構成は、レンズ保持部材２００及びレンズ９３によって構成される。
【００７２】
レンズ９３は、図１２及び図１３に示すように、複数の突起９３Ｂを有する。複数の突起９３Ｂは、レンズ９３の側周に設けられており、レンズ９３の径方向の外側に突出している。複数の突起９３Ｂは、レンズ９３の本体と一体として形成されることが好ましい。
【００７３】
レンズ保持部材２００は、図１２に示すように、レンズ保持片２００Ａ及びレンズ保持片２００Ｂによって構成される。レンズ保持部材２００は、図１２及び図１４に示すように、複数の突起９３Ｂを収容する複数の溝２６０を有する。溝２６０は、レンズ保持片２００Ａ及びレンズ保持片２００Ｂが重ね合わされることによって形成される。
【００７４】
ここで、レンズ９３は、レンズ保持部材２００に設けられる開口内に配置される。レンズ保持片２００Ａ及びレンズ保持片２００Ｂによって構成される溝２６０内に突起９３Ｂが収容されることによって、レンズ保持部材２００に設けられる開口内にレンズ９３が固定される。これによって、レンズ９３の厚み方向において、レンズ９３は、レンズ保持部材２００内に埋め込まれる。
【００７５】
（作用及び効果）
変更例３では、レンズ９３の厚み方向において、レンズ９３は、レンズ保持部材２００内に埋め込まれるため、レンズ９３を発光体３３に近づけて配置することが可能である。また、レンズ保持片２００Ａ及びレンズ保持片２００Ｂによって構成される溝２６０内に突起９３Ｂが収容されることによって、レンズ保持部材２００に設けられる開口内にレンズ９３が強固に固定される。
【００７６】
［変更例４］
以下において、第１実施形態の変更例４について説明する。以下においては、第１実施形態に対する相違点について主として説明する。
【００７７】
変更例４では、図１５に示すように、レンズ保持構成は、レンズ保持部材２００及びレンズ９３によって構成される。
【００７８】
レンズ９３は、突起９３Ｃを有する。突起９３Ｃは、レンズ９３の側周に設けられており、レンズ９３の径方向の外側に突出している。また、突起９３Ｃは、レンズ９３の側周に沿って連続している。
【００７９】
レンズ保持部材２００は、レンズ保持片２００Ｃ及びレンズ保持片２００Ｄによって構成される。レンズ保持片２００Ｃ及びレンズ保持片２００Ｄは、ボルトＰによってネジ止めされる。また、レンズ保持部材２００は、レンズ９３を収容する開口を有しており、開口を構成する側壁には、開口の周方向に沿って連続する環状溝２７０が設けられる。環状溝２７０は、突起９３Ｃを収容する。
【００８０】
ここで、レンズ９３は、レンズ保持部材２００に設けられる開口内に配置される。レンズ保持部材２００の環状溝２７０内に突起９３Ｂが収容されることによって、レンズ保持部材２００に設けられる開口内にレンズ９３が固定される。これによって、レンズ９３の厚み方向において、レンズ９３は、レンズ保持部材２００内に埋め込まれる。
【００８１】
（作用及び効果）
変更例４では、レンズ９３の厚み方向において、レンズ９３は、レンズ保持部材２００内に埋め込まれるため、レンズ９３を発光体３３に近づけて配置することが可能である。また、レンズ保持部材２００の環状溝２７０内に突起９３Ｂが収容されることによって、レンズ保持部材２００に設けられる開口内にレンズ９３が強固に固定される。
【００８２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８３】
実施形態では、光変調素子として、ＤＭＤ７０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００８４】
実施形態では、励起光として青成分光Ｂを用いるケースについて説明した。しかしながら、実施形態は、これに限定されるものではない。例えば、励起光として紫外成分光を用いてもよい。このようなケースでは、紫外成分光に応じて青成分光Ｂを出射する発光体が用いられる。
【００８５】
実施形態では特に触れていないが、光源装置は、少なくとも、光源１０、カラーホイール３０、レンズ９３及びレンズ保持部材２００を有していればよい。なお、光源装置は、これらの構成に加えて、ロッドインテグレータ２０及びロッド保持部材３００を有していてもよい。
【符号の説明】
【００８６】
１０…光源、２０…ロッドインテグレータ、２１〜２４…側壁、２１Ａ〜２４Ａ…外側面、２１Ｂ〜２４Ｂ…内側面、２５…光入射面、２６…光出射面、３０…カラーホイール、３１Ｂ…青領域、３１Ｇ…緑領域膜、３１Ｒ…赤領域膜、３２…ダイクロイックミラー膜、３３…発光体、４０…反射ミラー、５０…ロッドインテグレータ、６０…折り返しミラー、７０…ＤＭＤ、８０…投写ユニット、９１〜９６…レンズ、９３Ａ…環状溝、９３Ｂ…突起、９３Ｃ…突起、１００…投写型映像表示装置、２００…レンズ保持部材、２１０…凹部、２２１…先端部、２５０…環状溝、２６０…溝、２７０…環状溝、３００…ロッド保持部材、３１０…入射側保持片、３２０…出射側保持片、４００…環状部材
【図１】
2013041064.tif 000003
【図２】
2013041064.tif 000004
【図３】
2013041064.tif 000005
【図４】
2013041064.tif 000006
【図５】
2013041064.tif 000007
【図６】
2013041064.tif 000008
【図７】
2013041064.tif 000009
【図８】
2013041064.tif 000010
【図９】
2013041064.tif 000011
【図１０】
2013041064.tif 000012
【図１１】
2013041064.tif 000013
【図１２】
2013041064.tif 000014
【図１３】
2013041064.tif 000015
【図１４】
2013041064.tif 000016
【図１５】
2013041064.tif 000017